【事件の表示】
　特願２０１４−１１５３２４号「遊技機」拒絶査定不服審判事件〔平成２７年１２月２１日出願公開、特開２０１５−２２８９２６号〕について、次のとおり審決する。
【結　論】
　本件審判の請求は、成り立たない。
【理　由】
１．手続の経緯
　本願は、平成２６年６月３日に出願された特願２０１４−１１５３２４号であって、平成２８年１月２１日に手続補正書が提出され、同年１０月２４日付けで拒絶の理由が通知され、同年１２月１６日に意見書及び手続補正書が提出され、平成２９年５月２９日付けで拒絶の理由（最後）が通知され、同年８月１日に意見書及び手続補正書が提出されたところ、平成３０年１月１９日付けで前記平成２９年８月１日付けの手続補正が却下されるとともに、同日付けで再度拒絶の理由（最後）が通知され、同年３月２７日に意見書及び手続補正書が提出されたが、同年７月１０日付けで前記平成３０年３月２７日付けの手続補正が却下されるとともに同日付け（送達日：平成３０年９月４日）で拒絶査定がなされ、これに対し、同年１１月２７日に拒絶査定不服審判請求がなされるとともに、同時に手続補正がなされ、その後、当審において令和１年５月１４日付けで拒絶理由（以下「当審拒絶理由」という。）が通知され、同年７月１８日に意見書及び手続補正書が提出されたものである。
　
２．本願発明
　本願の請求項１ないし３に係る発明は、令和１年７月１８日になされた手続補正で補正された特許請求の範囲の請求項１ないし３に記載された事項により特定されるものであるところ、その請求項１に係る発明（以下「本願発明」という。）は以下のとおりである（記号Ａ〜Ｅは、分説するため審決にて付した。）。
「【請求項１】
Ａ　可変表示を実行可能な遊技機であって、
Ｂ　可変表示に基づいて特定表示を行う特定表示手段と、
Ｃ　演出結果として前記特定表示の表示態様を変化させる第１態様または前記特定表示の表示態様を変化させない第２態様のいずれか一方が表示され、演出結果が前記第１態様となる場合と前記第２態様となる場合とで共通の表示態様を含む特定演出を実行する特定演出実行手段と、を備え、
Ｄ　前記特定演出実行手段は、演出結果が前記第２態様となると決定された場合に、前記特定演出の演出結果により当該第２態様であることが明示される前に、当該特定演出を前記共通の表示態様の演出途中で終了可能である、
Ｅ　ことを特徴とする遊技機。」
　
３．引用文献及び引用発明
ア　当審拒絶理由において引用文献１として引用された特開２０１４−３６６８４号公報（以下「引用文献」という。）には、図面とともに以下の事項が記載されている（下線は当審が付記した。以下同じ。）。
（ア）「【技術分野】
【０００１】
　本発明は、
弾球遊技機
　
（イ）「【０２００】
　第１副制御部４００´は、各フレームにおいてフレームバッファ１または２に表示画像を形成した後、フレームバッファの左上隅を原点として解像度１２８０×９６０の範囲を指定して描画指示を行う。これにより、
装飾図柄表示装置２０８には、表示領域内の下端部に
保留アイコン
が
配置され
　
（ウ）「【０５０２】
　また、本実施形態に係る遊技台（例えば、パチンコ機１００´）は、
図柄変動表示を
実行可能な
第１特図表示装置
第２特図表示装置
と、表示を
実行可能な
装飾図柄表示装置
と、を備え
前記表示手段は、
前記図柄変動表示に対応する変動アイコン
を
表示可能
であり、
　
（エ）「＜図柄の種類＞
【１１３７】
　次に、図１６９（ａ）〜（ｄ）を用いて、パチンコ機１００の特図１表示装置２１２、特図２表示装置２１４、装飾図柄表示装置２０８、普図表示装置２１０が停止表示する特図および普図の種類について説明する。図１６９（ａ）は特図１の停止図柄態様の一例を示したものであり、図１６９（ｂ）は特図２の停止図柄態様の一例を示したものである。
特図１始動口２３０に球が入球したことを
条件として特図１変動遊技が開始され、特図２始動口２３２に球が入球したことを
条件として特図２変動遊技が開始され
特図１変動遊技が開始されると、特図１表示装置２１２は、
特図１の変動表示
を行
また、特図２変動遊技が開始されると、特図２表示装置２１４は、
特図２の変動表示
を行
特図１の変動開始前に決定した変動時間が経過すると、特図１表示装置２１２は特図１の停止図柄態様を停止表示し、特図２の変動開始前に決定した変動時間が経過すると、特図２表示装置２１４は特図２の停止図柄態様を停止表示
　
（オ）「【１１４２】
　図１６９（ｃ）は装飾柄の一例を示したものである。本実施形態の装飾図柄には、『装飾１』〜『装飾１０』の１０種類がある。
特図１始動口
または特図２始動口
に球が入賞したこと
を条件にして、装飾図柄表示装置
の
装飾図柄の変動表示
を行
【１１４３】
　
そして、
装飾図柄
停止表示
　
（カ）「【１３１８】
　＜保留アイコン表示態様抽選テーブル＞
【１３１９】
　図１８７〜図１９０に示す保留アイコン表示態様抽選テーブルでは、増加した保留の変動タイマが属するタイマグループと、保留アイコン表示態様抽選用乱数値とに基づいて、当該保留についての保留アイコン変更シナリオが決定される。増加した保留の変動タイマが属するタイマグループは、第１副制御部４００からの先読み結果情報コマンド等に基づいて判定され、保留アイコン表示態様抽選用乱数値は、ＲＡＭ５０８に設けられた乱数カウンタから取得される。本例の保留アイコン表示態様抽選用乱数値のとり得る範囲は０〜９９（数値範囲の幅は１００）である。
【１３２０】
　例えば、
保留数が３つから４つに増加し、
場合、
８０％の確率（乱数範囲０〜７９）で『入賞時：白、１変動後：白、２変動後：白、３変動後：白』という保留アイコン変更シナリオが設定される
『−』はそれ以前に設定された表示態様を維持することを表している
【１３２１】
　また例えば、保留数が２つから３つに増加し、増加した保留の変動タイマがタイマ８〜１０（タイマグループ３、期待小：当り）である場合、図１８８に示すように、５％の確率（乱数範囲５６〜６０）で『入賞時：白、１変動後：青、２変動後：赤』という保留アイコン変更シナリオが設定される。すなわち、当該保留に対応する保留アイコンの表示態様は、表示開始当初には白であり、１変動後には青に変化し、２変動後（当該保留の消化直前）には赤に変化する。
【１３２２】
　本例の
保留アイコンの表示態様は、球系の保留アイコン表示グループでは信頼度（大当り信頼度）の高い方から『赤』、『青』、『白』となっており
信頼度の高い表示態様に変化し
　
（キ）「【１３２７】
　また、第一の表示態様の保留アイコン（例えば、表示態様：白）を第二の表示態様の変動アイコン（例えば、表示態様：青）に変更するために行われる変更アニメーションなどが含まれる。また、
アイコン変更アニメーションは、
変更アニメーションが行われたからといって、保留アイコンの表示態様を必ず変化させる必要はなく、
該アイコン変更アニメーションの終了後も
アイコンの表示態様を変更しない場合があ
　
（ク）「【１３３８】
　次に、本実施の形態によるパチンコ機１００において実行される演出の具体例について説明する。
　＜実施例１−１＞
【１３３９】
　図１９２は、実施例１−１の演出表示の例を時系列で示した図である。同図（ｂ）〜（ｈ）の期間は、特図１変動遊技の変動期間中の状態を示している。同図（ｂ）に示すタイ
ミングでは、特図１表示装置２１２で特図１の変動表示が開始される。特図１保留ランプ２１８は、特図１の保留数が３から２に減少したことを表示する。
【１３４０】
　図柄表示領域２０８ａ〜２０８ｃでは、装飾図柄の変動表示が開始される。変動アイコン表示領域８００および保留アイコン表示領域９００では、保留・変動アイコン間の移動アニメーション、保留アイコンの移動アニメーションが開始される。
【１３４１】
　保留・変動アイコン間の移動アニメーションでは、同図（ｂ）〜（ｃ）に示すように、保留アイコン表示領域９００の第１領域に表示されていた保留アイコン９０１が、変動アイコン８０２となって、表示サイズが徐々に拡大されながら変動アイコン表示領域８００に移動する。保留アイコンの移動アニメーションでは、同図（ｂ）〜（ｃ）に示すように、保留アイコン表示領域９００の第２および第３領域に表示されていた保留アイコン９０２、９０３が第１および第２領域にそれぞれ移動する。
【１３４２】
　上述のとおり、
第２副制御部５００は、
保留アイコン表示制御処理において、保留アイコン変更条件が成立し
場合には、保留アイコン変動アニメーション
を表示し、
　
（ケ）「＜実施例１−３＞
【１３６２】
　図１９５は、実施例１−３の演出表示の例を時系列で示した図である。同図（ｂ）〜（ｇ）の期間は、特図２変動遊技の変動期間中の状態を示している。同図（ｂ）に示すタイミングでは、特図２表示装置２１４で特図２の変動表示が開始される。特図２保留ランプ２２０は、特図２の保留数が４から３に減少したことを表示する。
【１３６３】
　図柄表示領域２０８ａ〜２０８ｃでは、装飾図柄の変動表示が開始される。変動アイコン表示領域８００および保留アイコン表示領域９００では、保留・変動アイコン間の移動アニメーション、保留アイコンの移動アニメーションが開始される。
【１３６４】
　保留・変動アイコン間の移動アニメーションでは、同図（ｂ）〜（ｄ）に示すように、保留アイコン表示領域９００の第１領域に表示されていた保留アイコン９０１が、変動アイコン８０２となって、表示サイズが徐々に拡大されながら変動アイコン表示領域８００に移動する。保留アイコンの移動アニメーションでは、同図（ｂ）〜（ｄ）に示すように、保留アイコン表示領域９００の第２〜第４領域に表示されていた保留アイコン９０２、９０３、９０４が第１〜第３領域にそれぞれ移動する。
【１３６５】
　ここでは、
保留アイコン変更シナリオに規定されたタイミングが到来したことで保留アイコン変更条件が成立し、アイコン変更アニメ４を表示する場合
（表示態様１：導入）キャラクターがアイコン表示領域の直上から落下
（表示態様２：煽り）全アイコンを視認困難にする煙を表示
（表示態様３：結果報知）煙の表示中に、対象となるアイコンの表示態様を変更
（表示態様４：エンディング）煙を消して全アイコンを視認可能にする、の順番でアニメーションを行
【１３６６】
　同図（ｄ）〜（ｅ）のタイミングでは、アイコン変更アニメ４の（表示態様１：導入）に従って、殿のキャラクターが保留アイコン表示領域９００の直上から落下するアニメーションを行っている。続いて、同図（ｅ）〜（ｆ）のタイミングでは、アイコン変更アニメ４の（表示態様２：煽り）に従って、全ての保留アイコン９０２〜９０４を視認困難にする煙を表示するアニメーションを行っている。つまり、アイコン変更アニメ４は、複数の保留アイコンに対し、表示態様が変更される可能性のあるアニメを行なう点で、アイコン変更アニメ３と相違する。また、対象となる保留アイコンの数が異なるため、それに伴い、保留アイコンを隠すエフェクト（本例では煙の表示）もアイコン変更アニメ３とは異なっている。
【１３６７】
　また、上述したように、アイコン変更アニメ４は、アイコン変更アニメ３とエフェクトが異なっているが、それ以外の表示については同一であるため、アイコン変更アニメ４は、アイコン変更アニメ３＋煙のエフェクトアニメという見方をとることもできる。
【１３６８】
　続いて、同図（ｆ）のタイミングでは、アイコン変更アニメ４の（表示態様３：結果報知）に従って、煙の表示中に、対象となるアイコンの表示態様（この例では、保留アイコン９０３の色と、保留アイコン９０４の模様）を変更するアニメーションを行っている。なお、保留アイコン９０３、９０４の表示態様を変更する場合に、他の保留アイコン９０２の表示態様を変更してもよい。
【１３６９】
　最後に、同図（ｆ）〜（ｇ）のタイミングでは、アイコン変更アニメ４の（表示態様３：エンディング）に従って、煙を消して全アイコンを視認可能にするアニメーションを行っている。この例では、同図（ｄ）〜（ｇ）に示す期間でアイコン変更アニメ４を行っており、その表示期間は３０００ｍｓである。この例では、実行の契機となる保留数が１つの場合でも、複数の保留アイコンの表示態様を変更することが可能となり、遊技者の興味をひく演出表示を行うことができる場合がある。」
　
（コ）「【１５４２】
　また、電断・復電に限らず、例えば、大当りやＳＴ終了等による遊技状態の変更があった場合にも所定の回数保留アイコンおよび変動アイコンを予め定められた態様で表示するようにしていてもよい。また、
擬似連が行われる度に変動アイコンの消去と復帰を繰り返し複数回行ってもよ
【１５４５】
　また、本実施の形態による遊技台は、所定の保留記憶条件が成立した場合には、所定の始動情報を保留として少なくとも記憶可能な保留記憶手段（例えば、ＲＡＭ３０８、特図１乱数値記憶領域、特図２乱数値記憶領域）と、所定の保留表示条件が成立した場合には、一の前記保留に対応する一の
保留アイコンを
表示可能な保留表示手段
装飾図柄表示装置２０８、保留アイコン表示領域９００、第１副制御部４００、第２副制御部５００
と、を備え、前記保留表示手段は、所定の保留移動条件
が成立した場合には、所定の保留に対応する所定の保留アイコンの表示位置を移動させる所定の保留移動アニメーション
を表示可能なものであり、
　
（サ）図１８７、図１９１及び図１９５は次のものである。
【図１８７】
　
【図１９１】
　
【図１９５】
　
（シ）上記（カ）の記載を踏まえて、上記（サ）の図１８７をみると、所定の確率で、入賞時、１変動後、２変動後、３変動後、の順に適宜色が白、青、赤と変化する保留アイコン変更シナリオが設定されていることが見てとれる。
　
イ　上記アによれば、引用文献には、次の発明（以下「引用発明」という。）が記載されていると認められる（なお、記号ａ〜ｈは、分説するため審決にて付した。）。
「ａ　図柄変動表示を実行可能な第１特図表示装置及び第２特図表示装置と、表示を実行可能な装飾図柄表示装置とを備え、前記装飾図柄表示装置は、前記図柄変動表示に対応する変動アイコンを表示可能であり（上記「ア」「（ウ）」【０５０２】）、
　前記装飾図柄表示装置には、表示領域内の下端部に保留アイコンが配置され（上記「ア」「（イ）」【０２００】）、
ｂ　特図１始動口に球が入球したことを条件として特図１変動遊技が開始され、特図２始動口に球が入球したことを条件として特図２変動遊技が開始され、前記特図１変動遊技が開始されると、前記特図１表示装置は、特図１の変動表示を行い、また、前記特図２変動遊技が開始されると、前記特図２表示装置は、特図２の変動表示を行い、特図１の変動開始前に決定した変動時間が経過すると、前記特図１表示装置は特図１の停止図柄態様を停止表示し、特図２の変動開始前に決定した変動時間が経過すると、前記特図２表示装置は特図２の停止図柄態様を停止表示し（上記「ア」「（エ）」【１１３７】）、そして、装飾図柄を停止表示し（上記「ア」「（オ）」【１１４３】）、
ｃ　保留アイコンを表示可能な保留表示手段は、装飾図柄表示装置、保留アイコン表示領域、第１副制御部、第２副制御部とを備え、前記保留表示手段は、所定の保留移動条件が成立した場合には、所定の保留に対応する所定の保留アイコンの表示位置を移動させる所定の保留移動アニメーションを表示可能なものであり（上記「ア」「（コ）」【１５４５】）、
ｄ　保留アイコン変更シナリオに規定されたタイミングが到来したことで保留アイコン変更条件が成立し、保留アイコン変更アニメーションを表示する場合、
（表示態様１：導入）キャラクターがアイコン表示領域の直上から落下、
（表示態様２：煽り）全アイコンを視認困難にする煙を表示、
（表示態様３：結果報知）煙の表示中に、対象となるアイコンの表示態様を変更、
（表示態様４：エンディング）煙を消して全アイコンを視認可能にする、
の順番でアニメーションを行い（上記「ア」「（ケ）」【１３６５】）、
ｅ　前記保留アイコン変更アニメーションは、当該保留アイコン変更アニメーションが行われたからといって、保留アイコンの表示態様を必ず変化させる必要はなく、該保留アイコン変更アニメーションの終了後も当該アイコンの表示態様を変更しない場合があり（上記「ア」「（キ）」【１３２７】）、
ｆ　第２副制御部は、保留アイコン表示制御処理において、保留アイコン変更条件が成立した場合には、前記保留アイコン変動アニメーションを表示し（上記「ア」「（ク）」【１３４２】）、
ｇ　擬似連が行われる度に変動アイコンの消去と復帰を繰り返し複数回行ってもよい（上記「ア」「（コ）」【１５４２】）、
ｈ　弾球遊技機（上記「ア」「（ア）」【０００１】）。」
　
４．対比・判断
（１）対比
ア　本願発明と引用発明とを対比する。
（ア）構成Ａ及びＥについて
　引用発明の「図柄変動表示を実行可能な第１特図表示装置及び第２特図表示装置と、表示を実行可能な装飾図柄表示装置とを備え、前記装飾図柄表示装置は、前記図柄変動表示に対応する変動アイコンを表示可能であり、前記装飾図柄表示装置には、表示領域内の下端部に保留アイコンが配置され」（構成ａ）、「特図１始動口に球が入球したことを条件として特図１変動遊技が開始され、特図２始動口に球が入球したことを条件として特図２変動遊技が開始され、前記特図１変動遊技が開始されると、前記特図１表示装置は、特図１の変動表示を行い、また、前記特図２変動遊技が開始されると、前記特図２表示装置は、特図２の変動表示を行い、特図１の変動開始前に決定した変動時間が経過すると、前記特図１表示装置は特図１の停止図柄態様を停止表示し、特図２の変動開始前に決定した変動時間が経過すると、前記特図２表示装置は特図２の停止図柄態様を停止表示し、そして、装飾図柄を停止表示」（構成ｂ）する「弾球遊技機」（構成ｈ）は、引用発明の「特図１表示装置」が行う「特図１の変動表示」、及び、「特図２表示装置」が行う「特図２の変動表示」が本願発明の「可変表示」に相当するから、本願発明の「可変表示を実行可能な遊技機」（構成Ａ）及び「遊技機」（構成Ｅ）に相当する。
　
（イ）構成Ｂについて
　引用発明の「特図１始動口に球が入球したことを条件として特図１変動遊技が開始され、特図２始動口に球が入球したことを条件として特図２変動遊技が開始され、前記特図１変動遊技が開始されると、前記特図１表示装置は、特図１の変動表示を行い、また、前記特図２変動遊技が開始されると、前記特図２表示装置は、特図２の変動表示を行い、特図１の変動開始前に決定した変動時間が経過すると、前記特図１表示装置は特図１の停止図柄態様を停止表示し、特図２の変動開始前に決定した変動時間が経過すると、前記特図２表示装置は特図２の停止図柄態様を停止表示し、そして、装飾図柄を停止表示」（構成ｂ）する「特図１表示装置」及び「特図２表示装置」は、引用発明の「特図１表示装置」が「特図１の停止図柄態様を停止表示」すること、及び、「特図２表示装置」が「特図２の停止図柄態様を停止表示」することが、本願発明の「特定表示」に相当するから、上記（ア）での検討を踏まえると、本願発明の「可変表示に基づいて特定表示を行う特定表示手段」（構成Ｂ）に相当する。
　
（ウ）構成Ｃについて
ａ　引用発明の「第２副制御部」は、「保留アイコンを表示可能な保留表示手段は、装飾図柄表示装置、保留アイコン表示領域、第１副制御部、第２副制御部とを備え、前記保留表示手段は、所定の保留移動条件が成立した場合には、所定の保留に対応する所定の保留アイコンの表示位置を移動させる所定の保留移動アニメーションを表示可能なものであり」（構成ｃ）、
「保留アイコン変更シナリオに規定されたタイミングが到来したことで保留アイコン変更条件が成立し、保留アイコン変更アニメーションを表示する場合、
（表示態様１：導入）キャラクターがアイコン表示領域の直上から落下、
（表示態様２：煽り）全アイコンを視認困難にする煙を表示、
（表示態様３：結果報知）煙の表示中に、対象となるアイコンの表示態様を変更、
（表示態様４：エンディング）煙を消して全アイコンを視認可能にする、
の順番でアニメーションを行い」（構成ｄ）、
「前記保留アイコン変更アニメーションは、当該保留アイコン変更アニメーションが行われたからといって、保留アイコンの表示態様を必ず変化させる必要はなく、該保留アイコン変更アニメーションの終了後も当該アイコンの表示態様を変更しない場合があり」（ｅ）、
「第２副制御部は、保留アイコン表示制御処理において、保留アイコン変更条件が成立した場合には、前記保留アイコン変動アニメーションを表示」（ｆ）するから、
「（表示態様１：導入）キャラクターがアイコン表示領域の直上から落下、
（表示態様２：煽り）全アイコンを視認困難にする煙を表示、
（表示態様３：結果報知）煙の表示中に、対象となるアイコンの表示態様を変更あるいは変更せず、
（表示態様４：エンディング）煙を消して全アイコンを視認可能にする、
の順番で」行う「保留アイコン変更アニメーション」の終了後に「保留アイコンの表示態様」が「変化」する場合の表示と、「保留アイコン変更アニメーション」の終了後も「保留アイコンの表示態様を変更しない場合」の表示を行う「第２副制御部」であるといえる。
　
ｂ　そうすると、引用発明の「保留アイコン変更アニメーション」の終了後、「保留アイコンの表示態様」、「保留アイコンの表示態様」が「変化」する場合の表示、「保留アイコンの表示態様を変更しない場合」の表示、「（表示態様１：導入）キャラクターがアイコン表示領域の直上から落下、（表示態様２：煽り）全アイコンを視認困難にする煙を表示・・・（表示態様４：エンディング）煙を消して全アイコンを視認可能にする」、及び、「第２副制御部」は、本願発明の「演出結果」、「特定表示の表示態様」、「特定表示の表示態様を変化させる第１態様」、「特定表示の表示態様を変化させない第２態様」、「前記第１態様となる場合と前記第２態様となる場合とで共通の表示態様」、及び、「特定演出実行手段」にそれぞれ相当する。
　
ｃ　したがって、引用発明の「保留アイコンを表示可能な保留表示手段は、装飾図柄表示装置、保留アイコン表示領域、第１副制御部、第２副制御部とを備え、前記保留表示手段は、所定の保留移動条件が成立した場合には、所定の保留に対応する所定の保留アイコンの表示位置を移動させる所定の保留移動アニメーションを表示可能なものであり」（構成ｃ）、
「保留アイコン変更シナリオに規定されたタイミングが到来したことで保留アイコン変更条件が成立し、保留アイコン変更アニメーションを表示する場合、
（表示態様１：導入）キャラクターがアイコン表示領域の直上から落下、
（表示態様２：煽り）全アイコンを視認困難にする煙を表示、
（表示態様３：結果報知）煙の表示中に、対象となるアイコンの表示態様を変更、
（表示態様４：エンディング）煙を消して全アイコンを視認可能にする、
の順番でアニメーションを行い」（構成ｄ）、
「前記保留アイコン変更アニメーションは、当該保留アイコン変更アニメーションが行われたからといって、保留アイコンの表示態様を必ず変化させる必要はなく、該保留アイコン変更アニメーションの終了後も当該アイコンの表示態様を変更しない場合があり」（ｅ）、
「第２副制御部は、保留アイコン表示制御処理において、保留アイコン変更条件が成立した場合には、前記保留アイコン変動アニメーションを表示」（ｆ）する「第２副制御部」は、本願発明の「演出結果として前記特定表示の表示態様を変化させる第１態様または前記特定表示の表示態様を変化させない第２態様のいずれか一方が表示され、演出結果が前記第１態様となる場合と前記第２態様となる場合とで共通の表示態様を含む特定演出を実行する特定演出実行手段」に相当する。
　
イ　したがって、本願発明と引用発明とは、
「Ａ　可変表示を実行可能な遊技機であって、
Ｂ　可変表示に基づいて特定表示を行う特定表示手段と、
Ｃ　演出結果として前記特定表示の表示態様を変化させる第１態様または前記特定表示の表示態様を変化させない第２態様のいずれか一方が表示され、演出結果が前記第１態様となる場合と前記第２態様となる場合とで共通の表示態様を含む特定演出を実行する特定演出実行手段と、を備え、
Ｅ　遊技機。」
である点で一致し、以下の点で相違する。
　
〔相違点〕
　「特定演出実行手段」が、本願発明は、「演出結果が前記第２態様となると決定された場合に、前記特定演出の演出結果により当該第２態様であることが明示される前に、当該特定演出を前記共通の表示態様の演出途中で終了可能である」のに対して、引用発明は、「保留アイコン変更アニメーションの終了後も当該アイコンの表示態様を変更しない場合」（構成ｅ）に、「（表示態様１：導入）キャラクターがアイコン表示領域の直上から落下、
（表示態様２：煽り）全アイコンを視認困難にする煙を表示、
（表示態様３：結果報知）煙の表示中に、対象となるアイコンの表示態様を変更、
（表示態様４：エンディング）煙を消して全アイコンを視認可能にする、
の順番でアニメーションを行」（構成ｄ）う当該「保留アイコン変更アニメーション」を途中で終了可能と特定されない点（以下「相違点」という。）。
　
（２）判断
ア　上記相違点について検討する。
（ア）引用発明の「保留アイコン変更アニメーション」においては、
「アイコン変更アニメを表示する場合」及び「保留アイコン変更アニメーションの終了後も当該アイコンの表示態様を変更しない場合」のいづれであっても、
「（表示態様１：導入）キャラクターがアイコン表示領域の直上から落下、（表示態様２：煽り）全アイコンを視認困難にする煙を表示」及び「（表示態様４：エンディング）煙を消して全アイコンを視認可能にする、の順番でアニメーションを行」（構成ｄ）っているが、「保留アイコン変更アニメーションの終了後も当該アイコンの表示態様を変更しない場合」は、そもそも、「（表示態様３：結果報知）煙の表示中に、対象となるアイコンの表示態様を変更」する必要はない。
　
（イ）また、遊技者が「（表示態様４：エンディング）煙を消して全アイコンを視認可能にする」まで見たにもかかわらず、アイコンの表示態様が変更されていない場合の遊技者の落胆が大きいことは明らかである。
　
（ウ）そうすると、「保留アイコン変更アニメーションの終了後も当該アイコンの表示態様を変更しない場合」に遊技者の落胆を抑えることは、遊技機において必要に応じて考慮されるべき事項であるところ、遊技者の落胆を抑えるために、「保留アイコン変更アニメーションの終了後も当該アイコンの表示態様を変更しない場合」に、必要のない「（表示態様３：結果報知）煙の表示中に、対象となるアイコンの表示態様を変更」する演出以降の演出を省略することは当業者が容易に想到し得たことである。
　
（エ）また、上記（ウ）のように、アイコンの表示態様を変更する場合とアイコンの表示態様を変更しない場合とで共通するアイコン変更アニメーションの途中で当該「アイコン変更アニメーション」を終了する構成となすことは、遊技機の「アイコン変更アニメ（保留アニメーション）」における演出の形態として従来周知の事項にすぎない（必要ならば、例えば、後記「イ」文献参照。）。
　そして、引用発明の「アイコン変更アニメ（保留アニメーション）」と上記従来周知の事項（後記「イ」文献）の「保留表示予告を示唆する示唆演出」及び「保留画像の表示態様が変化して、当該変動中の特別図柄判定において大当たりとなる可能性が比較的高いことを示す演出」は、いずれも、保留アニメーションである点で共通する。
　
（オ）したがって、引用発明において、上記周知の事項を踏まえて、遊技者の落胆を抑えるために、「保留アイコン変更アニメーションの終了後も当該アイコンの表示態様を変更しない場合」には必要のない「（表示態様３：結果報知）煙の表示中に、対象となるアイコンの表示態様を変更」する演出以降の演出を省略することで、「（表示態様１：導入）キャラクターがアイコン表示領域の直上から落下」及び「（表示態様２：煽り）全アイコンを視認困難にする煙を表示」（本願発明の「共通の表示態様」に相当）する演出の途中で当該演出を終了可能である構成となして、上記相違点に係る本願発明の構成となすことは当業者が容易になし得たことである。
　
イ　文献（下線は当審が付した。）
（ア）特開２０１４−６４７６２号公報（以下「周知文献１」という。）
ａ　特に段落【０２３４】、【０２９０】の
「【０２３４】
　この実施の形態では、図２７（Ｂ）に示すように、パターン１〜パターン８までの示唆演出パターンに対応して、予め複数の示唆演出の実行態様が用意されている。・・・パターン６の示唆演出は、小さな
星の中に『Ａ』の文字が表示された画像を表示させ、対象となる保留表示の位置で停止させず、画像表示装置５を通りすぎるように表示する態様の示唆演出であり
図３５（ａ）、（ｂ）
保留表示予告Ａが実行されないことを示唆する示唆演出であ
「【０２９０】
　（変形例２）
　上記実施の形態では、保留表示予告ＡとＢの２種類の保留表示予告が予め用意されている例を示したが、これは一例である。・・・また、示唆演出は、保留表示予告の実行の有無を表現するものであればよく、その具体的態様は適宜変更できる。例えば、図３７に示すように、まず第５パターン〜第８と同じ態様で保留表示予告が実行されないことを示唆する示唆演出が一旦表現され（図３７（ａ））、その後に、予告対象となる可変表示に対応する保留表示図柄の位置で停止させる（図３７（ｂ）、（ｃ））特殊態様の示唆演出が用意されていてもよい。特殊態様の示唆演出が実行された場合に、その後、保留表示予告が実行されればよい。これによれば、
保留表示予告を実行しないことを示唆する示唆演出と同じ態様で演出を実行した後に、保留表示予告を実行する態様の示唆演出が実行される場合があるため、保留表示予告を実行しないことを示唆する示唆演出の実行が開始された場合であっても、遊技者の期待感を持続させることができる
との記載、及び、図３５及び３７。
ｂ　図３５、３７は次のとおりである。
　
　
ｃ　上記ａの記載を踏まえてｂの図３５、３７を見ると、図３５には、星の中に「Ａ」の文字が表示された画像を表示させ、前記星を対象となる保留表示の位置で停止させず、画像表示装置の端まで移動した後画面の外に出るように表示する態様（保留表示予告Ａが実行されない場合）を見てとることができ、図３７には、星の中に「Ａ」の文字が表示された画像を表示させ、前記星を最初は対象となる保留表示の位置で停止させず、画像表示装置の端まで移動した後、当該画像表示装置の端で跳ね返った後、対象となる保留表示の位置で停止するように表示する態様（保留表示予告Ａが実行される場合）を見てとることができる。
ｄ　上記ａないしｄによれば、周知文献１には、
「保留表示予告Ａが実行されない場合は、保留表示予告Ａが実行される場合及び保留表示予告Ａが実行されない場合の共通の表示態様の演出（星の移動）の後、前記共通の表示態様の演出（星の移動）途中で演出を終了す（画像表示装置の端まで移動した後画面の外に出）る態様であり、保留表示予告Ａが実行される場合は、前記共通の表示態様の演出（星の移動）の後、保留表示予告の示唆演出（当該画像表示装置の端で跳ね返った後、対象となる保留表示の位置で停止するように表示）を行う態様である、保留表示予告を示唆する示唆演出。」
が記載されていると認められる。
　
（イ）特開２０１３−２４０３８１号公報（以下「周知文献２」という。）
　段落【０００１】、【００８２】〜【００８６】
「【技術分野】
【０００１】
　本発明は、図柄を変動させて停止させることにより当たり判定の結果を報知する
遊技機
「【００８２】
　以下、サブ液晶表示装置６において行われる具体的な演出の例について説明する。
【００８３】
　図８は、特別図柄の変動中にメイン液晶表示装置５に表示される画像の一例を示す図であり、サブ液晶表示装置６を用いた予告演出の一例を示す図である。図８に示すように、特別図柄が第１特別図柄表示器４１において変動を開始すると、メイン液晶表示装置５に表示される装飾図柄５１が変動を開始する。特別図柄が変動開始する際に、大当たりか否かの判定が行われ、当該判定結果に基づいて、演出制御基板１３０がサブ液晶表示装置６を用いた予告演出を含む変動演出を選択することがあり、特別図柄の変動中（装飾図柄５１の変動中）に、サブ液晶表示装置６を用いた予告演出が行われる。装飾図柄５１は、第１特別図柄表示器４１に表示される特別図柄に対応する演出用の図柄である。また、メイン液晶表示装置５には、第１特別図柄判定の権利の保留を示す保留画像５２が権利の保留数に応じた数だけ表示される。ここで、保留画像５２ａは、現在変動中の特別図柄判定の権利を示す。
【００８４】
　例えば、図８に示すように、特別図柄の変動中に、サブ液晶表示装置６が、初期位置（図８（Ａ））よりも下方に移動することがある（図８（Ｂ））。この場合において、サブ液晶表示装置６には、所定の演出画像が表示される。例えば、キャラクタ６１とアイテム６２とがサブ液晶表示装置６に表示され、キャラクタ６１がアイテム６２を把持して動作する動画演出が行われる。これらの画像は、
現在変動中の特別図柄判定の結果に対する予告
【００８５】
　図９は、図８に示す予告画像がサブ液晶表示装置６に表示された後のサブ液晶表示装置６およびメイン
液晶表示装置５において行われる演出
キャラクタ６１がアイテム６２を投げ
【００８６】
　図１０は、図９に示す画像がメイン液晶表示装置５に表示された後のメイン液晶表示装置５において行われる演出の一例を示す図である。図１０（Ａ）に示すように、アイテム６２がメイン液晶表示装置５に出現した後（サブ液晶表示装置６から移動してきた後）、
アイテム６２は、
保留画像５２ａに向かって移動する場合があ
そして、
アイテム６２が保留画像５２ａに到達することがあり、到達した場合は、保留画像５２ａの表示態様
が変化
当該変動中の特別図柄判定において大当たりとなる可能性が比較的高いことを示
アイテム６２は保留画像５２ａに到達しない場合
は保留画像５２ａは変化せず、当該変動において大当たりとなる可能性は低
との記載、及び、図８〜１０。
ｂ　図８〜１０は次のとおりである。
【図８】
　
【図９】
　
【図１０】
　
ｃ　上記ａの記載を踏まえてｂの図８ないし１０を見ると、遊技機において、現在変動中の特別図柄判定の結果に対する予告として、液晶表示装置において行われる演出であって、キャラクタがアイテムを投げ、前記アイテムは、保留画像に向かって移動する場合があり、そして、前記アイテムが前記保留画像に到達することがあり、到達した場合は、前記保留画像の表示態様が変化して、当該変動中の特別図柄判定において大当たりとなる可能性が比較的高いことを示し、これに対して、前記アイテムが前記保留画像に到達しない場合は前記保留画像は変化せず、当該変動において大当たりとなる可能性は低いことを示す演出が表示されることが見てとれる。
　ここで、キャラクタが投げたアイテムが前記保留画像に到達しないことは、キャラクタが投げたアイテムが保留画像に到達する前に当該アイテムの保留画像に向かって移動する演出がなされなくなることであるから、キャラクタが投げたアイテムが保留画像に向かって移動する演出の途中で当該演出が終了することであるといえる。
　
ｄ　上記ａないしｄによれば、周知文献２には、
「遊技機において、保留画像の表示態様が変化して、当該変動中の特別図柄判定において大当たりとなる可能性が比較的高いことを示す演出の場合は、キャラクタが投げたアイテムが保留画像に到達し、これに対して、保留画像の表示態様が変化せず、当該変動において大当たりとなる可能性は低いことを示す演出の場合は、キャラクタが投げたアイテムが保留画像に向かって移動する演出の途中で当該演出が終了すること。」
が記載されていると認められる。
　
（３）本願発明が奏する効果について
　上記相違点に係る構成によって本願発明が奏する効果は、当業者が引用発明から予測し得る程度のものであって、格別のものではない。
　
（４）請求人の主張について
ア　請求人は、特に上記相違点に関して、令和１年７月１８日付けの意見書の「３．本願発明と引用発明との対比」「（１）請求項１」において、下記のとおり主張する（下線は当審が付した。）
「請求項１に係る発明（以下、本願発明）は、演出結果として特定表示の表示態様を変化させる第１態様または特定表示の表示態様を変化させない第２態様のいずれか一方が表示され、演出結果が第１態様となる場合と第２態様となる場合とで共通の表示態様を含む特定演出を実行する遊技機において、演出結果が第２態様となると決定された場合に、特定演出の演出結果により当該第２態様であることが明示される前に、当該特定演出を
共通の表示態様の演出途中で
　これにより、本願発明では、特定演出（表示変化演出）の演出結果が失敗態様に決定された場合には、特定演出を
共通の表示態様の演出途中で
比較的短時間で終了し
遊技の興趣の低下を抑制する
共通の表示態様の途中で
演出中に演出結果が失敗態様となることや失敗態様となる可能性が高いことが遊技者に分かり遊技の興趣が低下してしまうことを抑制する
　これに対し、引用文献１には、保留アイコン変更条件が成立した場合に、（表示態様１：導入）キャラクターがアイコン表示領域の直上から落下→（表示態様２：煽り）全アイコンを視認困難にする煙を表示→（表示態様３：結果報知）煙の表示中に、対象となるアイコンの表示態様を変更→（表示態様４：エンディング）煙を消して全アイコンを視認可能にする、の順番でアイコン変更アニメーションを行うことが記載されています。・・・
　即ち、引用文献１のアイコン変更アニメーション（本願の「特定演出」に対応）は、アイコンの表示態様が変化しない場合（本願の「第２態様」に対応）であっても、
途中で終了することは無く、最後まで実行されてエンディングの後に初めてアイコンの表示態様が変化しないことが遊技者に明示されます。
アイコンが変化しない場合であっても、変化する場合と同様に演出（アニメーション）は長時間実行されるため、最終的にアイコンが変化しないと分かったときに遊技者の落胆は大きく、遊技興趣は大きく低下してしまいます
　このようなことから、特定演出の演出結果が特定表示の表示態様が変化しない第２態様になると決定された場合に、当該第２態様であることが明示される前に、当該特定演出を共通の表示態様の演出途中で終了可能であるという本願発明の特徴、効果について、引用文献１に開示も示唆もないのは明らかです。」
　
イ　しかしながら、上記「（２）」で検討したとおり、共通の表示態様の演出途中で終了可能する演出は従来周知であって、また、請求人が意見書で主張している効果も、引用発明に当該周知の事項を適用することにより予測し得た程度のことにすぎない。
　したがって、上記請求人の主張は採用できない。
　
（５）まとめ
　以上のように、本願発明は、当業者が引用発明に基づいて容易に発明をすることができたものであるから、特許法第２９条第２項の規定により、特許を受けることができない。
　
５．むすび
　以上のとおりであるから、本願発明は、特許法第２９条第２項の規定により特許を受けることができないから、他の請求項に係る発明について検討するまでもなく、本件は拒絶すべきものである。
　
　よって、結論のとおり審決する。